(57)【要約】【課題】無線ＬＡＮにおけるＡＰと該ＡＰを利用するＳＴＡとの間での通信時の端末装置への混信の状況を判定することを可能にする。【解決手段】アクセスポイントと間での通信を行うＳＴＡ２３は、受信データの全パケットデータをハードウェア１１上でエラー検出するＦＣＳエラー検出部１２と、受信データからＭＡＣフィルタ１４により自装置宛てのデータを抽出し、このデータについてについて再度ソフトウェア１３上でエラー検出するＣＲＣエラー検出部１５とを備える。ＳＭＥ１６は、前記２つのエラー検出で検出されたエラー値を比較し、その結果により妨害電波の混信があることを検出し、ユーティリティ１７を介して、混信の状態を表示し、また、使用しているチャンネルの切り替えを指示する。【選択図】      図１
2005348338.tif 000002
【特許請求の範囲】
【請求項１】
アクセスポイントと間での通信を行う端末装置における混信判定方法において、前記端末装置は、受信データをハードウェア上でエラー検出する第１のエラー検出工程と、受信データをＭＡＣフィルタで処理し、自装置宛てのデータについて再度ソフトウェア上でエラー検出する第２のエラー検出工程と、第１、第２のエラー検出工程で検出されたエラー値を比較し、その結果により妨害電波の混信があることを検出する混信検出工程とを有することを特徴とする混信判定方法。
【請求項２】
前記端末装置は、受信信号の信号強度を検出して電波状態を把握する電波状態把握工程と、前記第１、第２のエラー検出工程で検出されたエラー値の比と電波状態把握工程で把握された電波状態とを表示する工程とを、さらに有することを特徴とする請求項１記載の混信判定方法。
【請求項３】
前記端末装置は、前記混信検出工程で妨害電波の混信があることが検出されたとき、チャンネルを変更するチャンネル変更工程を、さらに有することを特徴とする請求項１または２記載の混信判定方法。
【請求項４】
アクセスポイントと間での通信を行う端末装置において、前記端末装置は、受信データをハードウェア上でエラー検出する第１のエラー検出手段と、受信データをＭＡＣフィルタで処理し、自装置宛てのデータについて再度ソフトウェア上でエラー検出する第２のエラー検出手段と、第１、第２のエラー検出手段で検出されたエラー値を比較し、その結果により妨害電波の混信があることを検出する混信検出手段とを備えることを特徴とする端末装置。
【請求項５】
前記端末装置は、受信信号の信号強度を検出して電波状態を把握する電波状態把握手段と、前記第１、第２のエラー検出手段で検出されたエラー値の比と電波状態把握手段で把握された電波状態とを表示する手段とを、さらに備えることを特徴とする請求項４記載の端末装置。
【請求項６】
前記端末装置は、前記混信検出手段で妨害電波の混信があることが検出されたとき、チャンネルを変更するチャンネル変更手段を、さらに備えることを特徴とする請求項４または５記載の端末装置。
【発明の詳細な説明】
【技術分野】
【０００１】
本発明は、無線ＬＡＮにおける端末装置（ステーション、ＳＴＡ）での混信判定方法及び端末装置に係り、特に、無線ＬＡＮにおけるアクセスポイント（ＡＰ）と該ＡＰを利用するＳＴＡとの間での通信時のＳＴＡへの混信を判定する混信判定方法及び端末装置に関する。
【背景技術】
【０００２】
近年、公共的な空間内、商店等の店舗内に、無線ＬＡＮのアクセスポイント（ＡＰ）が設けられ、一般のユーザがそれらのＡＰを利用して各種のサービスを受けることが可能となってきている。
【０００３】
一般に、無線ＬＡＮのＡＰへのアクセス行う機器である端末装置は、ＰＣ、ＰＤＡ等の携帯可能な情報処理装置である。そして、ＡＰとＳＴＡとの間で通信を行っているとき、端末装置は、他のＡＰあるいは他の端末装置からの電波が妨害波として混信し、自装置での通信に障害を受けることがある。
【０００４】
図２は一般的な無線ＬＡＮのシステム構成を示すブロック図であり、図２を参照して妨害波の混信の発生について説明する。図２において、２１、２２はアクセスポイント（ＡＰ）、２３、２４は端末装置（ＳＴＡ）である。
【０００５】
図２に示すように、無線ＬＡＮのシステムは、情報提供サービスを行う複数のＡＰ２１、ＡＰ２２と、これらのＡＰとの通信を行って他のＳＴＡとの間で通信を行ったり、各種の情報提供サービスを受けるＳＴＡ２３、ＳＴＡ２４とにより構成される。図２において、いま、ＳＴＡ２３とＡＰ２１とが通信経路（ａ）を介して通信を行っているものとする。この状態で、近くにある別のＳＴＡ２４が、ＡＰ２１との間で経路（ｂ）により通信を開始し、あるいは、ＡＰ２２との間で通信を開始したものとする。このような場合、ＳＴＡ２３は、ＡＰ２１との通信中に、ＡＰ２２から経路（ｃ）を介して、また、ＳＴＡ２４から経路（ｄ）を介して、妨害電波をも受信して、情報心が受信すべきＡＰ２１からの電波との混信が生じることになる。
【０００６】
前述のような混信が生じた場合、一般には、ＳＴＡ２３において、通信によるデータ伝送のスループットが低下するが、ＳＴＡ２３を使用するユーザは、スループットの低下がどのような原因で生じているのかを知ることができなかった。すなわち、ユーザは、実効的なスループットが減少しているという事実を知ることができるが、その原因が妨害波の混信によるものであるか否かを知る手立てがなかった。また、従来、妨害波によるスループットの低下を検出する技術は知られていなかった。
【０００７】
なお、無線ＬＡＮに関する従来技術として、例えば、特許文献１等に記載された技術が知られている。
【特許文献１】特開平１０−１６４０７３号公報
【発明の開示】
【発明が解決しようとする課題】
【０００８】
前述で説明したように、従来、無線ＬＡＮを使用しているユーザは、実効的なスループットが減少しているという事実を知ることができるが、その原因が妨害波の混信によるものであるか否かを知る手立てがなかった。
【０００９】
本発明の目的は、前述した点に鑑み、無線ＬＡＮにおけるＡＰと該ＡＰを利用するＳＴＡとの間での通信時の端末装置への混信の状況を判定することを可能にした無線ＬＡＮの混信判定方法及び端末装置を提供することにある。
【課題を解決するための手段】
【００１０】
本発明によれば前記目的は、アクセスポイントと間での通信を行う端末装置における混信判定方法において、前記端末装置が、受信データをハードウェア上でエラー検出する第１のエラー検出工程と、受信データをＭＡＣフィルタで処理し、自装置宛てのデータについて再度ソフトウェア上でエラー検出する第２のエラー検出工程と、第１、第２のエラー検出工程で検出されたエラー値を比較し、その結果により妨害電波の混信があることを検出する混信検出工程とを有することにより達成される。
【００１１】
また、前記目的は、前記端末装置が、受信信号の信号強度を検出して電波状態を把握する電波状態把握工程と、前記第１、第２のエラー検出工程で検出されたエラー値の比と電波状態把握工程で把握された電波状態とを表示する工程とを、さらに有することにより達成される。
【００１２】
また、前記目的は、前記端末装置が、前記混信検出工程で妨害電波の混信があることが検出されたとき、チャンネルを変更するチャンネル変更工程を、さらに有することにより達成される。
【００１３】
さらに、前記目的は、アクセスポイントと間での通信を行う端末装置において、前記端末装置が、受信データをハードウェア上でエラー検出する第１のエラー検出手段と、受信データをＭＡＣフィルタで処理し、自装置宛てのデータについて再度ソフトウェア上でエラー検出する第２のエラー検出手段と、第１、第２のエラー検出手段で検出されたエラー値を比較し、その結果により妨害電波の混信があることを検出する混信検出手段とを備えることにより達成される。
【００１４】
また、前記目的は、前記端末装置が、受信信号の信号強度を検出して電波状態を把握する電波状態把握手段と、前記第１、第２のエラー検出手段で検出されたエラー値の比と電波状態把握手段で把握された電波状態とを表示する手段とを、さらに備えることにより達成される。
【００１５】
また、前記目的は、前記端末装置が、前記混信検出手段で妨害電波の混信があることが検出されたとき、チャンネルを変更するチャンネル変更手段を、さらに備えることにより達成される。
【発明の効果】
【００１６】
本発明によれば、ＳＴＡにおけるデータ伝送のスループットが減少した場合に、その原因が妨害波の混信によるものであることをユーザに認識させることができる。
【発明を実施するための最良の形態】
【００１７】
以下、本発明による無線ＬＡＮにおける端末装置での混信判定方法及び端末装置の実施形態を図面により詳細に説明する。
【００１８】
図１は本発明の一実施形態による端末装置（ＳＴＡ）の主要部の構成を示すブロック図である。図１において、１１はハードウェア部、１２はＦＣＳエラー検出部、１３はソフトウェア部、１４はＭＡＣフィルタ、１５はＣＲＣエラー検出部、１６はＳＭＥ（ステーション  マネージメント  エンティティ）、１７はユーティリティである。
【００１９】
図１に示すＳＴＡ２３の構成は、ＰＤＡ、ＰＣ等に組み込まれている無線ＬＡＮの通信処理を行う部分であり、図示しない高周波処理部、ベースバンド処理部を含むハードウェア部１１と、ハードウェア部１１にＰＤＡ、ＰＣ等の上位装置からの送信データを送り、あるいは、ハードウェア部１１で受信され復号されたデータを前述の上位装置に送る処理を行うソフトウェア部１７とにより構成される。
【００２０】
そして、ハードウェア部１１には、受信した全データについてのフレームチェックシーケンスによるエラー検出を行うＦＣＳエラー検出部１２が設けられている。また、ソフトウェア部１３は、自ＳＴＡ宛てのデータだけを取り出すＭＡＣフィルタ１４と、自ＳＴＡ宛てのデータについてＣＲＣチェックによるエラー検出を行い、自ＳＴＡ宛てのデータをＰＤＡ、ＰＣ等の上位装置に渡すＣＲＣエラー検出部１５と、図１に示すＳＴＡの主要部全体の監視制御を行うと共に、本発明による混信の状態を判別するＳＭＥ１６と、ユーザに対する情報出力等の処理を行うユーティリティ１７とを備えて構成されている。
【００２１】
前述したように構成されるＳＴＡにおけるＦＣＳエラー検出部１２は、自ＳＴＡが受信する電波から復号化された全パケットの全データについて、フレームチェックシーケンスによるエラー検出を行い、エラー検出後のデータをソフトウェア部１３のＭＡＣフィルタ１４に送ると共に、エラー率等のエラーに関する情報をＳＭＥ１６に送る。
【００２２】
ＭＡＣフィルタ１４は、受領したデータから自ＳＴＡ宛てのデータを抽出して、そのデータをＣＲＣエラー検出部１５に渡す。ＣＲＣエラー検出部１５は、自ＳＴＡ宛てのデータについてエラー検出、訂正を行った後、そのデータをＰＤＡ、ＰＣ等の上位装置に渡すと共に、エラー率等のエラーに関する情報をＳＭＥ１６に送る。ＳＭＥ１６は、ＦＣＳエラー検出部１２からのエラーに関する情報と、ＣＲＣエラー検出部１５からのエラーに関する情報とに基づいて、混信の状況を判定し、その結果をユーティリティ１７に渡す。ユーティリティ１７は、上位装置の表示装置に受領した混信の状況を表示する制御を行う。
【００２３】
前述において、ＦＣＳエラー検出部１２により検出されたパケットデータのエラー率をＡとし、ＣＲＣエラー検出部１５により検出されたパケットデータのエラー率をＢとした場合、一般に、妨害波の混信がない場合、Ａ≒Ｂとなり、妨害波の混信がある場合、Ａ≫Ｂとなることが知られている。
【００２４】
ＳＭＥ１６は、前述したような２種のデータのエラー率の相互間の性質を利用して、２つのエラー検出部から送られてくるデータエラー率の比Ａ／Ｂを算出することにより、妨害波の混信があることを判定する。この判定は、エラー率の比Ａ／Ｂが所定の値を超えたことを検出すればよい。また、ＳＭＥ１６は、ハードウェア部１１が検出して送信してくる受信信号の強度（ＲＳＳＩ）をも加味して妨害波の混信状況を判断するようにすることができる。
【００２５】
ユーティリティ１７が表示する混信の状況は、混信の有無だけを表示しても、あるいは、前述のエラー率の比Ａ／Ｂを、表示するバーの長さ等を比の大きさに従って変化させて表示してもよく、さらに、ＲＳＳＩも同時に表示することもできる。
【００２６】
ＳＭＥ１６は、さらに、エラー率の比Ａ／Ｂが前述とは異なる所定の値を超えたことを検出したとき、ハードウェア部１１に指示を出して、自ＳＴＡが通信のために使用しているチャンネルを切り替えさせることができる。
【００２７】
前述した本発明の実施形態によれば、無線ＬＡＮにおけるＡＰと該ＡＰを利用するＳＴＡとの間での通信時の端末装置への混信を判定し、混信の状況をユーザに知らせることができ、また、混信が大きくなった場合に使用するチャンネルを自動的に変更することもできる。
【図面の簡単な説明】
【００２８】
【図１】図１は本発明の一実施形態による端末装置（ＳＴＡ）の主要部の構成を示すブロック図である。
【図２】図２は一般的な無線ＬＡＮのシステム構成を示すブロック図である。
【符号の説明】
【００２９】
１１  ハードウェア部
１２  ＦＣＳエラー検出部
１３  ソフトウェア部
１４  ＭＡＣフィルタ
１５  ＣＲＣエラー検出部
１６  ＳＭＥ（ステーション  マネージメント  エンティティ）
１７  ユーティリティ
２１、２２  アクセスポイント（ＡＰ）
２３、２４  端末装置（ＳＴＡ）
【図１】
2005348338.tif 000003
【図２】
2005348338.tif 000004